(57)【要約】【課題】オーバーボルテージを回避して安全に回生モードに移行する真空ポンプ及びモータ制御装置を提供する。【解決手段】ターボ分子ポンプ１は、交流電源から得られる交流電力を直流電力に変換して出力する電源ユニット４と、モータ３を制御するモータ制御装置１０と、を備えている。モータ制御装置１０は、直流電力又は回生電力が供給されてモータ３を駆動させるモータ駆動回路１１と、電源ユニット４とモータ駆動回路１１との間に設けられた逆流防止ダイオード１２と、逆流防止ダイオード１２の一次側電圧を検出する停電検出回路１４と、逆流防止ダイオード１２の二次側電圧を検出する駆動電圧検出回路１５と、一次側電圧が所定の停電検出閾値まで降下すると、一次側電圧及び二次側電圧の電圧差に基づいて、交流電力の停電である一次側停電又は直流電力の停電である二次側停電の何れであるかを判定し、回生モードに移行するようにモータ駆動回路１１を制御するモータ制御回路１６と、を備えている。【選択図】図１
2019047680.tif 000002
【特許請求の範囲】
【請求項１】
停電時にロータの回転に伴って回生電力を発生させるモータを備えた真空ポンプであって、
交流電源から得られる交流電力を直流電力に変換して出力する電源ユニットと、
前記モータを制御するモータ制御装置と、
を備え、
前記モータ制御装置は、
前記直流電力又は前記回生電力が供給されて前記モータを駆動させるモータ駆動回路と、
前記電源ユニットと前記モータ駆動回路との間に設けられた逆流防止ダイオードと、
前記逆流防止ダイオードの一次側電圧を検出する停電検出回路と、
前記逆流防止ダイオードの二次側電圧を検出する駆動電圧検出回路と、
前記一次側電圧が所定の停電検出閾値まで降下すると、前記一次側電圧及び前記二次側電圧の電圧差に基づいて、前記交流電力の停電である一次側停電又は前記直流電力の停電である二次側停電の何れであるかを判定し、前記回生電力によって前記モータを駆動させる回生モードに移行するように前記モータ駆動回路を制御するモータ制御回路と、
を備えていることを特徴とする真空ポンプ。
【請求項２】
前記モータ駆動回路は、前記一次側停電と判定した場合には、前記回生モードに直ちに移行するように前記モータ駆動回路を制御することを特徴とする請求項１記載の真空ポンプ。
【請求項３】
前記モータ駆動回路は、前記二次側停電と判定した場合には、前記二次側電圧が所定の回生モード移行閾値まで降下した後に、前記回生モードに移行するように前記モータ駆動回路を制御することを特徴とする請求項１又は２記載の真空ポンプ。
【請求項４】
前記モータ駆動回路は、前記二次側停電と判定した場合には、前記二次側電圧の低下開始から所定時間経過後に、前記回生モードに移行するように前記モータ駆動回路を制御することを特徴とする請求項１又は２記載の真空ポンプ。
【請求項５】
前記モータ駆動回路は、前記二次側停電時の回生モードの電流指令値の最大値を前記一次側停電の回生モードの電流指令値の最大値より小さく設定することを特徴とする請求項３又は４記載の真空ポンプ。
【請求項６】
前記モータ制御回路は、前記モータの電流指令値の最大値を回生モード移行時の前記ロータの回転速度に応じて調整することを特徴とする請求項１から５の何れか１項記載の真空ポンプ。
【請求項７】
請求項１から６のいずれか１項記載の真空ポンプに用いられることを特徴とするモータ制御装置。
【発明の詳細な説明】
【技術分野】
【０００１】
本発明は、真空ポンプ及び該真空ポンプのモータを制御するモータ制御装置に関する。
【背景技術】
【０００２】
従来、半導体製造装置、電子顕微鏡又は質量分析装置等の機器において、真空チャンバ内を高真空にするために真空ポンプが利用されている。
【０００３】
このような真空ポンプとして、ターボ分子ポンプが知られている（例えば、特許文献１参照）。ターボ分子ポンプは、ポンプケース内にロータが回転可能に支持されており、ロータの外周に放射状かつ複数段のロータ翼が設けられ、これらロータ翼と対面するポンプケースの内周にロータ翼間に交互に位置決めされた複数段のステータ翼が配置されている。真空チャンバ内をある程度減圧した後に、ロータを高速回転させると、回転するロータ翼及び固定されたステータ翼に衝突したガス分子が運動量を付与されて排気される。このような排気動作により、真空チャンバからポンプ本体内に吸引されたガス分子が圧縮されながら排気されて、真空チャンバ内に所望の高真空度が形成される。
【先行技術文献】
【特許文献】
【０００４】
【特許文献１】特開２００５−９４８５２号公報
【発明の概要】
【発明が解決しようとする課題】
【０００５】
ところで、図５、６に示すようなモータ制御装置９０を有する真空ポンプ９１では、電圧検出回路９２が検出する逆流防止ダイオード９３の二次側電圧ｖが停電検出閾値ｎ１まで降下すると、モータ制御回路９４は停電が発生したと判定し、モータ９５の回生電力で図示しないロータを回転させる回生モードに移行する。回生モードでは、モータ９５を駆動するモータ駆動回路９６、磁気軸受９７及び磁気軸受９７を駆動させる磁気軸受制御回路９８等の各種機器の駆動に必要な駆動電力をモータ９５の回生電力でまかなっている。また、回生モードでは、図６に示すように、電圧ｖ１は、回生モードへの切換時にオーバーシュートした後に回生モード時の目標電圧に一致するように制御される。なお、図５中の目標電圧は、停電検出閾値ｎ１と一致している。
【０００６】
しかしながら、電圧ｖ１のオーバーシュートが復電検出閾値ｎ２を上回ると、モータ制御回路９４は、復電すなわち停電が復旧したものと判定して回生モードから通常運転モードに移行するため、電圧ｖ１が安定しないという問題があった。
【０００７】
そこで、発明者は、モータ制御装置９０内の電圧ｖ１ではなく、外部の電源ユニット８０を介してモータ制御装置９０に供給される電力の電圧に基づいて停電又は復電を判定して、上述したオーバーシュートによる復電の誤検出を回避することに思い至った。
【０００８】
しかしながら、図５に示す真空ポンプでは、停電後の電圧ｖ１が停電検出閾値ｎ１まで降下した後に回生モードに移行するため、回生モード移行時にオーバーシュートが発生しても各種機器に悪影響を与え得るオーバーボルテージ（過電圧）に至ることはなかった。ところが、図７に示すように、停電か否かをモータ制御装置９０に供給される電力の電圧ｖ２に基づいて判定する場合、モータ制御装置９０内の電圧ｖ１が十分に降下する前に回生モードへ移行してオーバーボルテージに至る虞があった。
【０００９】
そこで、オーバーボルテージを回避して安全に回生モードに移行するという解決すべき技術的課題が生じてくるのであり、本発明は、この課題を解決することを目的とする。
【課題を解決するための手段】
【００１０】
上記課題を解決するために、本発明に係る真空ポンプは、停電時にロータの回転に伴って回生電力を発生させるモータを備えた真空ポンプであって、交流電源から得られる交流電力を直流電力に変換して出力する電源ユニットと、前記モータを制御するモータ制御装置と、を備え、前記モータ制御装置は、前記直流電力又は前記回生電力が供給されて前記モータを駆動させるモータ駆動回路と、前記電源ユニットと前記モータ駆動回路との間に設けられた逆流防止ダイオードと、前記逆流防止ダイオードの一次側電圧を検出する停電検出回路と、前記逆流防止ダイオードの二次側電圧を検出する駆動電圧検出回路と、前記一次側電圧が所定の停電検出閾値まで降下すると、前記一次側電圧及び前記二次側電圧の電圧差に基づいて、前記交流電力の停電である一次側停電又は前記直流電力の停電である二次側停電の何れであるかを判定し、前記回生電力によって前記モータを駆動させる回生モードに移行するように前記モータ駆動回路を制御するモータ制御回路と、を備えている。
【００１１】
この構成によれば、外部の交流電源の電力で真空ポンプを起動させる通常運転モードから回生モードに切り替える際に、逆流防止ダイオードの一次側電圧及び二次側電圧の電圧差に基づいて、交流電力の停電である一次側停電（ＡＣ遮断）又は直流電力の停電である二次側停電（ＤＣ遮断）の何れであるかを判定して、回生モードに移行することにより、逆流防止ダイオードの二次側電圧からオーバーボルテージまでのマージンを十分に確保した状態で回生モードに移行可能なため、回生モード移行時の電圧のオーバーシュートに起因したオーバーボルテージを抑制することができる。
【００１２】
また、本発明に係る真空ポンプは、前記モータ駆動回路は、前記一次側停電と判定した場合には、前記回生モードに直ちに移行するように前記モータ駆動回路を制御することが好ましい。
【００１３】
この構成によれば、一次側停電時に通常運転モードから回生モードに切り替える場合、逆流防止ダイオードの一次側電圧が停電検出閾値まで降下したときは、逆流防止ダイオードの二次側電圧も同様に停電検出閾値付近まで降下していることから、逆流防止ダイオードの二次側電圧からオーバーボルテージまでのマージンを十分に確保した状態で回生モードに速やかに移行することができる。
【００１４】
また、本発明に係る真空ポンプは、前記モータ駆動回路は、前記二次側停電と判定した場合には、前記二次側電圧が所定の回生モード移行閾値まで降下した後に、前記回生モードに移行するように前記モータ駆動回路を制御することが好ましい。
【００１５】
この構成によれば、二次側停電と判定した場合には、逆流防止ダイオードの二次側電圧が所定の回生モード移行閾値まで降下した後に回生モードに移行することにより、逆流防止ダイオードの二次側電圧からオーバーボルテージまでのマージンを十分に確保した状態で回生モードに移行可能なため、回生モード移行時の電圧のオーバーシュートに起因したオーバーボルテージを抑制することができる。
【００１６】
また、本発明に係る真空ポンプは、前記モータ駆動回路は、前記二次側停電と判定した場合には、前記二次側電圧の低下開始から所定時間経過後に、前記回生モードに移行するように前記モータ駆動回路を制御することが好ましい。
【００１７】
この構成によれば、二次側停電と判定した場合には、逆流防止ダイオードの二次側電圧が降下してから所定時間経過した後に回生モードに移行することにより、逆流防止ダイオードの二次側電圧からオーバーボルテージまでのマージンを十分に確保した状態で回生モードに移行可能なため、回生モード移行時の電圧のオーバーシュートに起因したオーバーボルテージを抑制することができる。
【００１８】
また、本発明に係る真空ポンプは、前記モータ駆動回路は、前記二次側停電時の回生モードの電流指令値の最大値を前記一次側停電の回生モードの電流指令値の最大値より小さく設定することが好ましい。
【００１９】
この構成によれば、一次側停電時に比べて、二次側停電時に回生モードに移行するときの電圧のオーバーシュートが小さくなるため、逆流防止ダイオードの二次側電圧からオーバーボルテージまでのマージンが小さくなりがちな二次側遮断であっても、電圧のオーバーシュートに起因したオーバーボルテージを抑制することができる。
【００２０】
また、本発明に係る真空ポンプは、前記モータ制御回路は、前記モータの電流指令値の最大値を回生モード移行時の前記ロータの回転速度に応じて調整することが好ましい。
【００２１】
この構成によれば、回生電力はモータの回転速度が増すにつれて大きくなるところ、モータの電流指令値の最大値をモータの回転速度に対応させて調整することにより、モータ制御回路の制御パラメータを回生電力の増減に応じて適宜変更する必要がなくなるため、簡便で且つ汎用的な制御を行うことができる。
【００２２】
上記課題を解決するために、本発明に係るモータ制御装置は、以上のような真空ポンプに用いられる。
【００２３】
この構成によれば、外部の交流電源の電力で真空ポンプを起動させる通常運転モードから回生モードに切り替える際に、逆流防止ダイオードの一次側電圧及び二次側電圧の電圧差に基づいて、交流電力の停電である一次側停電（ＡＣ遮断）又は直流電力の停電である二次側停電（ＤＣ遮断）の何れであるかを判定して、回生モードに移行することにより、逆流防止ダイオードの二次側電圧からオーバーボルテージまでのマージンを十分に確保した状態で回生モードに移行可能なため、回生モード移行時の電圧のオーバーシュートに起因したオーバーボルテージを抑制することができる。
【発明の効果】
【００２４】
本発明によれば、停電が発生して通常運転モードから回生モードに切り替える際に、逆流防止ダイオードの一次側電圧及び二次側電圧の電圧差に基づいて、一次側停電又は二次側停電の何れであるかを判定して、回生モードに移行することにより、回生モード移行時の電圧のオーバーシュートに起因したオーバーボルテージが抑制されるため、安全に回生モードに移行することができる。
【図面の簡単な説明】
【００２５】
【図１】本発明の一実施形態に係るモータ制御装置を備える真空ポンプの構成図。
【図２】本実施形態に係るモータ制御装置の作用を示すフローチャート。
【図３】ＡＣ遮断時の電力降下の様子を示す図。
【図４】ＤＣ遮断時の電力降下の様子を示す図。
【図５】本発明の比較例に係るモータ制御装置を備える真空ポンプの構成図。
【図６】図５の真空ポンプにおいて、通常運転モードから回生モードに移行した場合の電圧の推移を示す図。
【図７】回生モードへの移行時にオーバーボルテージに至った場合の電圧の推移を示す図
【発明を実施するための形態】
【００２６】
本発明の一実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２７】
また、構成要素等の形状、位置関係に言及するときは、特に明示した場合及び原理的に明らかにそうでないと考えられる場合等を除き、実質的にその形状等に近似又は類似するもの等を含む。
【００２８】
図１は、本実施形態に係るモータ制御装置１０を備えたターボ分子ポンプ１の構成図である。ターボ分子ポンプ１は、図示しないロータが磁気軸受２に非接触で回転可能に支持されており、モータ３がロータを高速回転させると、ロータの外周に設けられた複数段のロータ翼及びロータ翼に対して交互に配置された複数段のステータ翼に衝突したガス分子が運動量を付与されて排気される。
【００２９】
磁気軸受２は、ロータを径方向に支持する上側径方向電磁石及び下側径方向電磁石と、ロータを軸方向に支持する軸方向電磁石とで構成されており、ロータを浮上させた状態で５軸制御する。
【００３０】
モータ３は、回転子側に設けられた図示しない２極（Ｎ極、Ｓ極）の永久磁石と、固定子側に設けられた図示しない３相のモータ巻線と、備えている。また、モータ３は、ロータの回転数を検出する図示しない回転数センサを備えている。
【００３１】
また、モータ３は、給電が停止されると、ロータの回転に伴って回生電力を発生させる発電機として機能する。モータ３が回生電力を発電することにより、停電時であっても、磁気軸受２が高速回転するロータを浮上支持し続けるため、安全に運転を継続することができる。
【００３２】
モータ制御装置１０に外付けで接続された電源ユニット４は、商用電源の交流電力（例えば、２４Ｖ）を直流電力に変換して、モータ制御装置１０に供給する。電源ユニット４には、モータ制御装置１０に印加される電圧を平滑化する第１の平滑コンデンサ５を備えている。
【００３３】
モータ制御装置１０は、ターボ分子ポンプ１に一体に組み込まれている。モータ制御装置１０は、モータ３の動作を制御する。
【００３４】
モータ駆動回路１１は、モータ巻線に接続されている。各モータ巻線には対応した３組のインバータ回路が設けられており、モータ駆動回路１１は、後述するモータ制御回路１６から送られるドライブ信号に基づいて、各巻線に供給される電力を制御する。また、モータ駆動回路１１は、モータ巻線に流れる電流を検出する図示しない電流センサを備えている。
【００３５】
逆流防止ダイオード１２は、電源ユニット４とモータ駆動回路１１との間に介挿されている。なお、符号１３は、モータ制御装置１１内の電圧を平滑化する第２の平滑コンデンサである。
【００３６】
停電検出回路１４は、逆流防止ダイオード１２の一次側電圧を検出する。停電検出回路１４は、モータ制御回路１６に検出した電圧値を送る。
【００３７】
駆動電圧検出回路１５は、逆流防止ダイオード１２の二次側電圧を検出する。駆動電圧検出回路１５は、モータ制御回路１６に検出した電圧値を送る。
【００３８】
モータ制御回路１６は、モータ駆動回路１１の動作を制御する。モータ制御回路１６は、回転数センサの検出値及び電流センサの検出値と基準回転数及び基準電流値とに基づいてＰＩＤ制御してドライブ信号を生成する。ドライブ信号は、モータ駆動回路１１に送られる。
【００３９】
また、モータ制御装置１０は、磁気軸受２の動作を制御する磁気軸受制御回路１７を備えている。磁気軸受制御回路１７は、ロータの径方向への変位を検出する径方向センサの検出値に応じてロータを径方向に支持する上側径方向電磁石及び下側径方向電磁石を励磁制御する。また、ロータの軸方向への変位を検出する軸方向センサの検出値に応じて、ロータを軸方向に支持する軸方向電磁石を励磁制御する。
【００４０】
さらに、モータ制御回路１６は、停電検出回路１４の検出値及び駆動電圧検出回路１５の検出値並びに各種設定値に基づいて停電の発生を検出し、さらに、停電発生時には、モータ３の回生電力でターボ分子ポンプ１の各種電力をまかなうようにモータ駆動回路１１の動作を制御する。
【００４１】
次に、モータ制御装置１０の作用について、図面に基づいて説明する。図２は、モータ制御装置１０の作用を示すフローチャートである。
【００４２】
外部電源から供給される電力で磁気軸受２やモータ３を起動する通常運転モードでターボ分子ポンプ１の運転を開始する（Ｓ１）。
【００４３】
モータ制御装置１０への電力供給が停止すると（Ｓ２）、モータ制御回路１６は、逆流防止ダイオード１２の一次側電圧が停電検出閾値まで降下すると、停電の発生を検出する（Ｓ３）。なお、逆流防止ダイオード１２の一次側電圧の停電検出閾値は任意に変更可能であり、例えば、商用電源の電圧が２４Ｖである場合には、停電検出値は２０Ｖに設定されることが考えられる。
【００４４】
モータ制御回路１６は、停電を検出すると、商用電源と電源ユニット４との間の停電（ＡＣ遮断）または電源ユニット４とモータ制御装置１０との間の停電（ＤＣ遮断）のいずれが生じたかを判定する（Ｓ４）。
【００４５】
具体的には、モータ制御回路１６は、逆流防止ダイオード１２の一次側電圧が停電検出閾値まで降下したときの停電検出回路１４が検出した電圧と駆動電圧検出回路１５が検出した電圧との電圧差が、逆流防止ダイオード１２における電圧降下（例えば、０．６Ｖ）と略一致する場合には、ＡＣ遮断と判定し、逆流防止ダイオード１２における電圧降下より大きい場合には、ＤＣ遮断と判定する。
【００４６】
さらに具体的には、停電検出時における停電検出回路１４が検出した電圧と駆動電圧検出回路１５が検出した電圧との電圧差とは、換言すれば、逆流防止ダイオード１２の一次側電圧と二次側電圧との電圧差である。この電圧差が逆流防止ダイオード１２における電圧降下と略一致するとは、第１の平滑コンデンサ５と第２の平滑コンデンサ１３とが同様に放電していることを意味する。このような場合に、モータ制御回路１６は、電源ユニット４とモータ制御装置１０との間は電気的に接続されているとして、ＡＣ遮断と判定する。
【００４７】
一方、逆流防止ダイオード１２の一次側電圧と二次側電圧との電圧差が逆流防止ダイオード１２における電圧降下より大きい場合とは、第２の平滑コンデンサ１３が放電することで、逆流防止ダイオード１２の二次側電圧は緩やかに降下するのに対して、第１の平滑コンデンサ５が放電しておらず、逆流防止ダイオード１２の一次側電圧が急速に降下したことを意味する。このような場合に、モータ制御回路１６は、電源ユニット４とモータ制御装置１０との間は電気的に接続されていないとして、ＤＣ遮断と判定する。
【００４８】
モータ制御回路１６がＡＣ遮断と判定した場合には、モータ制御回路１６は、通常運転モードからロータの回転に伴う回生電力でモータ制御装置１０内の各種機器を駆動させる回生モードに直ちに移行する（Ｓ５）。
【００４９】
図３に示すように、逆流防止ダイオード１２の一次側電圧が停電検出閾値Ｎ１まで降下したとき、逆流防止ダイオード１２の二次側電圧Ｖ２は、逆流防止ダイオード１２の電圧降下ΔＶの分だけ逆流防止ダイオード１２の一次側電圧Ｖ１より低い。そのため、逆流防止ダイオード１２の二次側電圧Ｖ２と各種機器に悪影響を与え得るオーバーボルテージ（例えば、３０Ｖ）とのマージンが確保されている。したがって、回生モード移行時のオーバーシュート（例えば、２〜３Ｖ）が生じても、オーバーボルテージにかかることなく、回生モード時の目標電圧に収束する。なお、図３では、目標電圧は、停電検出閾値Ｎ１と同じ値に設定しているが、これに限定されるものではない。
【００５０】
モータ制御回路１６は、回生モードに移行する際に、モータ３の回転速度に基づいて、モータ３の電流指令値の最大値を調整するのが好ましい。これは、モータ３の回転速度が増すにつれて回生電力も大きくなるが、モータ制御回路１６の制御パラメータも回生電力に応じて適宜変更する必要があるところ、モータ３の電流指令値の最大値をモータ３の回転速度に対応させて維持することにより、簡便で且つ汎用的な制御を行うことができる。
【００５１】
モータ３の電流指令値の最大値の調整方法としては、例えば、モータ３の回転速度に対応するモータ３の電流指令値の最大値を定めたテーブルを予め記憶しておき、回生モード移行時のモータ３の実際の回転速度と上述したテーブルから、モータ３の電流指令値の最大値を呼び出すことが考えられる。この際、モータ３の電流指令値の最大値は、モータ３の回転速度が高くなるほど小さく設定される。
【００５２】
一方、モータ制御回路１６がＤＣ遮断と判定した場合には、モータ制御回路１６は、逆流防止ダイオードの二次側電圧が停電検出閾値まで降下した後に、通常運転モードから回生モードに移行する（Ｓ６）。
【００５３】
図４に示すように、ＤＣ遮断の場合、逆流防止ダイオード１２の一次側電圧Ｖ１が停電検出閾値Ｎ１まで降下しても、逆流防止ダイオード１２の二次側電圧Ｖ２は、十分に降下していない。そのため、回生モード移行時の逆流防止ダイオード１２の二次側電圧Ｖ２とオーバーボルテージとのマージンが確保できるように、逆流防止ダイオード１２の二次側電圧Ｖ２が回生モード移行閾値まで降下した後に、回生モードに移行することで、オーバーシュートに起因してオーバーボルテージにかかることを抑制することができる。なお、本実施形態では、回生モード移行閾値を停電検出閾値Ｎ１と同じ値に設定しているが、これに限定されるものではない。また、回生モードの開始は二次側電圧Ｖ２が停電検出閾値Ｎ１まで低下した場合に限らず、所定時間経過後としても構わない。このような時間としては、例えば、二次側電圧Ｖ２の降下具合の実測値に基づいて予め設定された時間が考えられる。
【００５４】
ＤＣ遮断の場合も、ＡＣ遮断と同様に、回生モードに移行する際に、モータ３の回転速度に基づいて、モータ３の電流指令値の最大値を調整するのが好ましい。さらに、ＤＣ遮断の場合、回生モード移行時の逆流防止ダイオード１２の二次側電圧Ｖ２が、ＡＣ遮断の場合と比較して逆流防止ダイオード１２の電圧降下ΔＶの分だけ僅かに高いため、ＤＣ遮断の場合には、モータ３の回転速度が同一であっても、ＡＣ遮断の場合よりもモータ３の電流指令値の最大値を小さく設定するのが好ましい。これにより、回生モード移行時にオーバーボルテージにかかることをさらに抑制することができる。
【００５５】
その後、停電が復旧して（Ｓ７）、停電検出回路１４が逆流防止ダイオード１２の一次側電圧が復電検出閾値（例えば、２１Ｖ）に達したことを検出すると（Ｓ８）、モータ制御回路１６は、回生モードを終了して、外部電源から供給される電力でターボ分子ポンプを運転する通常運転モードに移行する。
【００５６】
このようにして、本実施形態に係るターボ分子ポンプ１は、停電が発生して通常運転モードから回生モードに切り替える際に、逆流防止ダイオード１２の一次側電圧及び二次側電圧の電圧差に基づいて、ＡＣ遮断又はＤＣ遮断の何れであるかを判定し、ＤＣ遮断と判定した場合には、逆流防止ダイオード１２の二次側電圧が所定の回生モード移行閾値まで降下した後に回生モードに移行することにより、回生モード移行時の電圧のオーバーシュートに起因したオーバーボルテージが抑制されるため、安全に回生モードに移行することができる。
【００５７】
また、本実施形態に係るモータ制御装置１０は、停電が発生して通常運転モードから回生モードに切り替える際に、逆流防止ダイオード１２の一次側電圧及び二次側電圧の電圧差に基づいて、ＡＣ遮断又はＤＣ遮断の何れであるかを判定し、ＤＣ遮断と判定した場合には、逆流防止ダイオード１２の二次側電圧が所定の回生モード移行閾値まで降下した後に回生モードに移行することにより、回生モード移行時の電圧のオーバーシュートに起因したオーバーボルテージが抑制されるため、安全に回生モードに移行することができる。
【００５８】
また、上述した変形例以外にも本発明は、本発明の精神を逸脱しない限り種々の改変を為すことができ、そして、本発明が該改変されたものに及ぶことは当然である。
【符号の説明】
【００５９】
１  ・・・  ターボ分子ポンプ
２  ・・・  磁気軸受
３  ・・・  モータ
４  ・・・  電源ユニット
５  ・・・  第１の平滑コンデンサ
１０・・・  モータ制御装置
１１・・・  モータ駆動回路
１２・・・  逆流防止ダイオード
１３・・・  第２の平滑コンデンサ
１４・・・  停電検出回路
１５・・・  駆動電圧検出回路
１６・・・  モータ制御回路
１７・・・  磁気軸受制御回路
【図１】
2019047680.tif 000003
【図２】
2019047680.tif 000004
【図３】
2019047680.tif 000005
【図４】
2019047680.tif 000006
【図５】
2019047680.tif 000007
【図６】
2019047680.tif 000008
【図７】
2019047680.tif 000009